(57)【要約】【課題】安全性を損なうことなく、重量物である鏡の裏面の補強板を廃止することを可能とする。【解決手段】エレベータのかご室内に設置されるエレベータのかご室内鏡装置の実施形態は、かご室の壁体に固定された取付板と、前記取付板に両面テープを介して固定された鏡と、前記鏡の周縁部を保持する額縁と、前記額縁が前記壁体に対して相対的に下方に移動することを防止する額縁支持構造とを備える。【選択図】図１
2017105576.tif 000002
【特許請求の範囲】
【請求項１】
エレベータのかご室内に設置されるエレベータのかご室内鏡装置において、
かご室の壁体に固定された取付板と、
前記取付板に両面テープを介して固定された鏡と、
前記鏡の周縁部を保持する額縁と、
前記額縁が前記壁体に対して相対的に下方に移動することを防止する額縁支持構造と
を備えたことを特徴とするかご室内鏡装置。
【請求項２】
前記鏡の背面に接着された補強板を有していないことを特徴とする、請求項１記載のかご室内鏡装置。
【請求項３】
前記額縁支持構造は、前記額縁の上辺部に設けられるとともに前記取付板の上端部が挿入される板受け溝を有する、請求項１または２記載のかご室内鏡装置。
【請求項４】
前記額縁支持構造は、前記額縁内に埋め込まれるとともに前記額縁の背面側に突出した埋め込みねじと、前記壁体に形成されるとともに前記埋め込みねじが挿入される取付穴と、前記壁体の背面側から前記埋め込みねじに装着されるナットとを有する、請求項１または２記載のかご室内鏡装置。
【請求項５】
前記額縁支持構造は、前記額縁の上部に前記額縁と一体的に設けられたフックと、前記壁体に形成されるとともに前記フックが挿入されるフック穴とを有している、請求項１または２記載のかご室内鏡装置。
【請求項６】
前記額縁支持構造は、前記額縁の上部に取り付けられるとともに先端部に拡大された頭部を有する軸と、前記壁体に形成されるとともに前記軸が挿入されるダルマ穴とを有している、請求項１または２記載のかご室内鏡装置。
【請求項７】
前記額縁支持構造は、前記壁体に形成された角穴と、前記角穴に引っ掛けられるフックと、前記額縁に形成されるとともに前記フックと係合するフック係合部と、を有しており、前記フックは上に向けて凸のＵ字形の形状を有し、前記フックの上面は前記壁体に近づくほど低くなるように傾斜した傾斜部分を有し、前記フック係合部は傾斜部分を有し、前記フック係合部の傾斜部分は、前記フックの傾斜部分と同じ向きに傾斜し、かつ、前記フックの傾斜部分により支持されている、請求項１または２記載のかご室内鏡装置。
【発明の詳細な説明】
【技術分野】
【０００１】
本発明の実施形態は、エレベータのかご室内鏡装置に関する。
【背景技術】
【０００２】
エレベータのかご室内には、車椅子利用者の便宜を図るため鏡が設けられる。この鏡の脱落により乗客の安全が損なわれることを防止するため、鏡には多重の脱落防止策が施される。その一例が特許文献１に開示されている。
【０００３】
特許文献１に記載されたかご室内鏡装置では、鏡の裏面に堅固に接着されたステンレス鋼製の補強板の裏面の左右両側に、スタッドボルト（スタッド溶接により取り付けられたボルト）を有する取付板が両面テープで取り付けられる。スタッドボルトはかご室の壁体に設けられた貫通穴に通され、当該スタッドボルトと螺合するナットにより、取付板が壁体に固定される。
【０００４】
特許文献１のかご室内鏡装置には、さらに、上記のステンレス鋼製の補強板に直接溶接された脱落防止用のスタッドボルトまたは脱落防止用のフックが設けられている。脱落防止用のスタッドボルトは、かご室の壁体にナットにより固定される。脱落防止用のフックは、かご室の壁体に固定された部材に引っかけられる。このような脱落防止手段により、鏡設置時の施工不良または両面テープの経年劣化により両面テープの剥離が生じた場合でも、鏡の脱落が防止され、乗客の安全が確保される。
【０００５】
ステンレス鋼製の補強板は、重量が大きく、鏡装置の設置性悪化の原因となっている。上記スタッドボルトまたはフックによる脱落防止構造の信頼性は、スタッドボルトまたはフックと補強板との間の堅固な溶接接合に依存しているため、補強板を廃止することは困難である。
【先行技術文献】
【特許文献】
【０００６】
【特許文献１】特開２００４−１６１４５９号公報
【発明の概要】
【発明が解決しようとする課題】
【０００７】
本発明は、安全性を損なうことなく、重量物である鏡の裏面の補強板を廃止することを可能とするかご室内鏡装置を提供することを目的とする。
【課題を解決するための手段】
【０００８】
発明の一実施形態に係るエレベータのかご室内に設置されるエレベータのかご室内鏡装置は、かご室の壁体に固定された取付板と、前記取付板に両面テープを介して固定された鏡と、前記鏡の周縁部を保持する額縁と、前記額縁が前記壁体に対して相対的に下方に移動することを少なくとも防止する額縁支持構造とを備えたかご室内鏡装置とを備えている。
【図面の簡単な説明】
【０００９】
【図１】第１実施形態に係るかご室内鏡装置の構成を示す図であって、（ａ）はかご室の外側からかご室の中にある部分を見た背面図、（ｂ）は縦断側面図である。
【図２】第１実施形態の変形例に係るかご室内鏡装置の構成を示す縦断側面図である。
【図３】第１実施形態の作用について説明するための縦断側面図である。
【図４】第２実施形態に係るかご室内鏡装置の構成を示す図であって、（ａ）はかご室の外側からかご室の中にある部分を見た背面図、（ｂ）は縦断側面図である。
【図５】第３実施形態に係るかご室内鏡装置の構成を示す図であって、（ａ）はかご室の外側からかご室の中にある部分を見た背面図、（ｂ）は縦断側面図、（ｃ）はかご室の外側から見た斜視図である。
【図６】第４実施形態に係るかご室内鏡装置の構成を示す図であって、（ａ）はかご室の外側からかご室の中にある部分を見た背面図、（ｂ）は縦断側面図、（ｃ）はかご室の外側から見た斜視図である。
【図７】第５実施形態に係るかご室内鏡装置の構成を示す図であって、（ａ）はかご室の外側からかご室の中にある部分を見た背面図、（ｂ）は縦断側面図、（ｃ）はかご室の外側から見た斜視図である。
【図８】実施形態との比較対照のために特許文献１に開示されたかご室内鏡装置の構成を示す図であって、（ａ）はかご室の外側からかご室の中にある部分を見た背面図、（ｂ）は横断側面図である。
【発明を実施するための形態】
【００１０】
以下、添付図面を参照して、エレベータのかご室内の壁面に設置されるかご室内鏡装置の様々な実施形態について説明する。かご室内鏡装置は、かごの扉（図示せず）と反対側にある壁体のかご室内を向いた表面上に設置される。
【００１１】
図１（ａ）、（ｂ）に示すように、かご室内鏡装置１は、かご室の壁体２０にねじ締結により固定された取付板４と、取付板４に両面テープを介して固定された鏡２と、鏡２の周縁部を保持する額縁３とを備える。
【００１２】
図１（ａ）は、壁体２０と額縁３との境界面から、鏡２、額縁３及び取付板４を見た背面図である。図１（ａ）において、上記境界面よりも後方にある部材は仮想線（二点鎖線）で示される（図４（ａ）、図５（ａ）、図６（ａ）、図７（ａ）、図８（ａ）においても同じ）。図１（ｂ）において、各部材の図中右側の面（かごの扉を向いている面）を前面、図中左側の面を背面または裏面と呼ぶこととする（図２、図３、図４（ｂ）、図５（ｂ）、図６（ｂ）、図７（ｂ）、図８（ｂ）においても同じ）。
【００１３】
鏡２の背面の全面には飛散防止フィルム６が貼られている。取付板４の前面と、鏡２の背面（詳細には鏡２の背面に貼られた飛散防止フィルム６の背面）とが、両面テープ５を介して互いに接合される。
【００１４】
取付板４の背面には、スタッドボルト４ａが取り付けられている。スタッドボルト４ａは、例えば公知のスタッド溶接により、取付板４に接合されている。スタッドボルト４ａはかご室の壁体２０に形成された貫通穴に通される。壁体２０の背面側に飛び出したスタッドボルト４ａの先端部にナット２１を装着し（螺合させ）、当該ナット２１を締め付けることにより、取付板４が壁体２０に堅固に固定される。
【００１５】
額縁３には鏡受け溝３ａが形成されており、鏡２の周縁部は鏡受け溝３ａに挿入されている。
【００１６】
本明細書に開示されるかご室内鏡装置の様々な実施形態は、上述した構成を共通して備えている。かご室内鏡装置はさらに額縁支持構造を備えており、この額縁支持構造が各実施形態間で相違する。
【００１７】
経年劣化あるいは設置時の不具合により、両面テープ５が鏡２（ここでは鏡２の背面面に貼られた飛散防止フィルム６）または取付板４から剥がれる可能性がある。額縁支持構造は、このような事象が生じた場合でも、額縁３が壁体２０に対して相対的に下方に移動することを少なくとも阻止し、鏡２が落下することを防止する。額縁支持構造は、好ましくは、額縁３が壁体２０から離れる方向に（前方に）遠ざかろうとする動きも阻止するように構成される。
【００１８】
［第１実施形態］
第１実施形態に係る額縁支持構造について説明する。図１（ａ）、（ｂ）に示すように、額縁３の上辺部には、上に向けて凹となった板受け溝７が形成されている。この板受け溝７は、鏡受け溝３ａよりも背面側に位置する。板受け溝７に取付板４の上端部が挿入されることにより上記額縁支持構造が構成される。
【００１９】
この構成を採用すると、取付板４の背面と壁体２０の前面との間にいくらかの隙間が形成されることになる。このため、この隙間に相当する厚さのスペーサ８を取付板４と壁体２０との間に介在させることが好ましい。スペーサ８を設けることに代えて、図２に示すように、取付板４のスタッドボルト４ａ付近の部分を、壁体２０側に向けて凸となるように曲げてもよい。
【００２０】
この第１実施形態によれば、例えば図３に示すように両面テープ５が経年劣化あるいは設置時の不具合により鏡２または取付板４から剥がれたとしても、壁体２０に堅固に固定されている取付板４の上端部が、額縁３の板受け溝７に引き続き係合して額縁３をしっかりと支える。このため、額縁３に周縁部が保持されている鏡２が下方に動くことはない。また、額縁３の上部が壁体２０から離れる方向（前方）に移動することはない。従って、鏡２が壁体２０から外れてかご室内に落下することはない。
【００２１】
また、第１実施形態によれば、鏡２の背面に接着されたステンレス鋼製の補強板１００（図８参照）が廃止されるので、かご室内鏡装置１の全体重量を低減することができ、輸送時および据付け時の作業性が向上する。また、ステンレス鋼製の補強板１００を廃止することにより、かご室内鏡装置１の材料費を低減することができる。
【００２２】
ここで、図８を参照して、本明細書冒頭の［背景技術］の項で引用した特許文献１に記載された構成を簡単に説明しておく。図８において、図１に記載された構成要素と同一または実質的に同一の構成要素については同一符号を付け、重複説明は省略する。図４において、符号１００は鏡２の裏面に接着剤により強固に接着されたステンレス鋼製の補強板である。この補強板１００にスタッド溶接等によりスタッドボルト１０２が溶接されている。スタッドボルト１０２およびこれに螺合するナット１０４により、補強板１００と強固に一体化された鏡２がかご室の壁体２０に堅固に固定されている。このため、両面テープ５の剥離が生じたとしても鏡２が落下することはない。なお、この従来技術においては、額縁３は、かご室の壁体に対しては固定されていない。
【００２３】
［第２実施形態］
第２実施形態に係るかご室内鏡装置１が具備する額縁支持構造について図４を参照して説明する。額縁３の上辺部の背面側に、１つ以上の埋め込みねじ２２が額縁３内に埋め込まれている。図４に示した実施形態では、２つの埋め込みねじ２２が、額縁３の上辺部の左右両端部に設けられている。各埋め込みねじ２２は壁体２０に形成された取付穴に通される。壁体２０の背面側に飛び出した各埋め込みねじ２２の先端部にナット２８を装着し、当該ナット２８を締め付けることにより、額縁３が壁体２０に固定される。
【００２４】
この第２実施形態によれば、額縁３が、埋め込みねじ２２およびナット２８により壁体２０に堅固に固定される。このため、両面テープ５の剥離が生じたとしても鏡２が動くことなく、落下することもない。
【００２５】
［第３実施形態］
第３実施形態に係るかご室内鏡装置１が具備する額縁支持構造について図５を参照して説明する。額縁３の上辺部の中央部に、額縁３と一体的に設けられたフック２３が設けられている。フック２３を額縁３と別々に形成した後に額縁３と接合してもよいし、フック２３と額縁３とを一体的に形成してもよい。
【００２６】
壁体２０には、フック２３が挿入されるフック穴２９が形成されている。フック２３をフック穴２９に取り付けたとき、フックの根元部２３ｂはフック穴２９の両脇部の底面２９ｂの上に乗り、額縁３が壁体２０に対して下方に移動することを防止する。このとき、フック２３の先端部２３ａの下端部は、フック穴２９の中央部の底面２９ａより下方に位置しつつ壁体２０の背面に当接し、額縁３が壁体２０から離れるように前方に移動することを防止する。
【００２７】
この第３実施形態によれば、両面テープ５の剥離が生じたとしても、壁体２０と係合するフック２３があるため、鏡２が下方に移動（落下）することはなく、また、鏡２が壁体２０から離れる方向（前方）に移動することもない。
【００２８】
［第４実施形態］
第４実施形態に係るかご室内鏡装置１が具備する額縁支持構造について図６を参照して説明する。額縁支持構造は、額縁３の上部に取り付けられるとともに先端部に拡大された頭部２４ａを有する軸２４と、壁体２０に形成されるとともに軸２４が挿入されるダルマ穴２５とから構成される。
【００２９】
軸２４は、例えばスクリュードライバー（ねじ回し）の先端と係合させることができる溝を有する大径の頭部２４ａと、ねじが形成された小径の軸部２４ｂとを備えた、一般的なネジの形状を有するものでよい。軸２４は、額縁３に形成された雌ねじに軸部２４ｂの雄ねじを螺合させることにより額縁３に取り付けることができる。
【００３０】
ダルマ穴２５は、下側の小径穴部分２５ａと、これと連続する上側の大径穴部分２５ｂとを有する。小径穴部分２５ａには、小径の軸部２４ｂを通すことができるが大径の頭部２４ａを通すことはできない。大径穴部分２５ｂには大径の頭部２４ａを通すことができる。大径の頭部２４ａを大径穴部分２５ｂに通した後に、鏡２および額縁３を下方にずらすことにより、小径の軸部２４ｂが小径穴部分２５ａに収容される。この状態では、軸２４はさらに下方に移動することはできず、また、頭部２４ａが小径穴部分２５ａを通過できない。このため、額縁３の下方への動きおよび壁体２０から離れる方向の動きが阻止される。
【００３１】
この第４実施形態によれば、両面テープ５の剥離が生じたとしても、壁体２０のダルマ穴２５と係合する軸２４があるため、鏡２が下方に移動（落下）することはなく、また、鏡２が壁体２０から離れる方向（前方）に移動することもない。
【００３２】
［第５実施形態］
第５実施形態に係るかご室内鏡装置１が具備する額縁支持構造について図７を参照して説明する。額縁支持構造は、壁体２０に形成された角穴３０と、角穴３０に引っ掛けられる断面Ｕ字形の額縁支持フック２６と、額縁３の上辺部の中央部に形成された切欠部からなるフック係合部２７とを有している。
【００３３】
額縁支持フック２６は断面で見て上に向けて凸のＵ字形の形状を有している。額縁支持フック２６は角穴３０の底面により支持される第１部分２６ａと、第１部分２６ａの両端から壁体２０の表面および裏面に沿って下方に延びる第２部分２６ｂおよび第３部分２６ｃとを有する。また、額縁支持フック２６の第１部分２６ａの上面側には、第３部分２６ｃに近づくほど低くなるように傾斜した傾斜部分２６ｄが設けられている。
【００３４】
図７（ｂ）からわかるように、フック係合部２７（つまり額縁３の切欠部）の下面は、傾斜部分２６ｄと概ね同じ角度で傾斜している傾斜部分を有する。額縁支持フック２６がフック係合部２７に差し込まれると、フック係合部２７の傾斜部分が傾斜部分２６ｄの上に載る。
【００３５】
この第５実施形態によれば、両面テープ５の剥離が生じたとしても、額縁支持フック２６が額縁３を下方から支持し、また、傾斜部分２６ｄが額縁３の壁体２０から離れる方向の動きを阻止する。このため、鏡２が下方に移動（落下）することはなく、また、鏡２が壁体２０から離れる方向（前方）に移動することもない。
【００３６】
以上説明したように、上記各実施形態によれば、額縁３が壁体２０に支持されているため、両面テープ５の剥離が生じたとしても、鏡２が下方に移動（落下）することはなく、また、鏡２が壁体２０から離れる方向（前方）に移動することもない。また、上記各実施形態によれば、鏡２の背面に接着されたステンレス鋼製の補強板１００を廃止することにより、かご室内鏡装置１の全体重量の低減、かご室内鏡装置１の輸送時および据付け時の作業性の向上、並びにかご室内鏡装置１の材料費低減を達成することができる。
【００３７】
上記の実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
１...かご室鏡装置、２...鏡、３...額縁、３ａ...鏡受け溝、４...取付板、５...両面テープ、７...板受け溝、２２...埋め込みねじ、２３...フック、２４...軸、２４ａ...軸の頭部、２５...ダルマ穴、２６...フック、２７...フック係合部、２８...ナット、２９...フック穴、３０...角穴、１００…補強板
【図１】
2017105576.tif 000003
【図２】
2017105576.tif 000004
【図３】
2017105576.tif 000005
【図４】
2017105576.tif 000006
【図５】
2017105576.tif 000007
【図６】
2017105576.tif 000008
【図７】
2017105576.tif 000009
【図８】
2017105576.tif 000010
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
エレベータのかご室内に設置されるエレベータのかご室内鏡装置において、
かご室の壁体に固定された取付板と、
前記取付板に両面テープを介して固定された鏡と、
前記鏡の周縁部を保持する額縁と、
前記額縁が前記壁体に対して相対的に下方に移動することを防止する額縁支持構造と
を備え、
前記額縁支持構造は、前記額縁の上辺部に設けられるとともに前記取付板の上端部が挿入される板受け溝を有する、かご室内鏡装置。
【請求項２】
エレベータのかご室内に設置されるエレベータのかご室内鏡装置において、
かご室の壁体に固定された取付板と、
前記取付板に両面テープを介して固定された鏡と、
前記鏡の周縁部を保持する額縁と、
前記額縁が前記壁体に対して相対的に下方に移動することを防止する額縁支持構造と
を備え、
前記額縁支持構造は、前記額縁の上部に前記額縁と一体的に設けられたフックと、前記壁体に形成されるとともに前記フックが挿入されるフック穴とを有している、かご室内鏡装置。
【請求項３】
エレベータのかご室内に設置されるエレベータのかご室内鏡装置において、
かご室の壁体に固定された取付板と、
前記取付板に両面テープを介して固定された鏡と、
前記鏡の周縁部を保持する額縁と、
前記額縁が前記壁体に対して相対的に下方に移動することを防止する額縁支持構造と
を備え、
前記額縁支持構造は、前記額縁の上部に取り付けられるとともに先端部に拡大された頭部を有する軸と、前記壁体に形成されるとともに前記軸が挿入されるダルマ穴とを有している、かご室内鏡装置。
【請求項４】
エレベータのかご室内に設置されるエレベータのかご室内鏡装置において、
かご室の壁体に固定された取付板と、
前記取付板に両面テープを介して固定された鏡と、
前記鏡の周縁部を保持する額縁と、
前記額縁が前記壁体に対して相対的に下方に移動することを防止する額縁支持構造と
を備え、
前記額縁支持構造は、前記壁体に形成された角穴と、前記角穴に引っ掛けられるフックと、前記額縁に形成されるとともに前記フックと係合するフック係合部と、を有しており、前記フックは上に向けて凸のＵ字形の形状を有し、前記フックの上面は前記壁体に近づくほど低くなるように傾斜した傾斜部分を有し、前記フック係合部は傾斜部分を有し、前記フック係合部の傾斜部分は、前記フックの傾斜部分と同じ向きに傾斜し、かつ、前記フックの傾斜部分により支持されている、かご室内鏡装置。
【請求項５】
前記鏡の背面に接着された補強板を有していないことを特徴とする、請求項１乃至４のいずれか一項に記載のかご室内鏡装置。